(57)【特許請求の範囲】
【請求項１】
互いに直交する長手方向及び幅方向を有し、
液透過性の肌面シートと液不透過性の非肌面シートとの間に吸収体を有し、
前記肌面シートは、前記長手方向に沿った第１折り線を基点に、前記幅方向の外側から前記幅方向の内側に向かって肌対向面側に折り返されており、かつ前記第１折り線よりも前記幅方向の内側に位置する前記長手方向に沿った第２折り線を基点に、前記幅方向の内側から前記幅方向の外側に向かって肌対向面側に折り返されている、吸収性物品であって、
前記第１折り線を基点に折り畳まれた前記肌面シート同士を接合する接着剤を有しており、
前記長手方向に沿った吸収性物品の折り畳み線は、前記接着剤に重ならず、
前記折り畳み線は、前記第１折り線を基点に折り畳まれたシート同士が接合された第１接合領域の内側縁よりも前記幅方向の内側、かつ前記第２折り線よりも前記幅方向の外側に位置することを特徴とする吸収性物品。
【請求項２】
前記第１折り線を基点に折り畳まれたシート同士が接合された前記第１接合領域は、前記吸収性物品の前記長手方向の両端縁に設けられ、かつ前記吸収性物品の前記長手方向の中央に設けられていない、請求項１に記載の吸収性物品。
【請求項３】
前記第１折り線を基点に折り畳まれたシート同士が接合された前記第１接合領域の内側縁は、前記第２折り線を基点に折り畳まれたシート同士が接合された第２接合領域の内側縁よりも前記幅方向の外側に位置する、請求項１又は請求項２に記載の吸収性物品。
【請求項４】
前記非肌面シートは、前記肌面シートと共に、前記第１折り線を基点に折り返されており、かつ前記第２折り線を基点に折り返されている、請求項１から請求項３のいずれかに記載の吸収性物品。
【請求項５】
前記第２折り線を基点に折り畳まれたシート間には、前記長手方向に伸縮する弾性部材が設けられる、請求項１から請求項４のいずれかに記載の吸収性物品。
【発明の詳細な説明】
【技術分野】
【０００１】
本発明は、吸収性物品に関する。
【背景技術】
【０００２】
特許文献１には、吸収体の肌対向面側に配置された肌面シートを折り畳んで、起立可能な折返し部を構成した吸収性物品が開示されている。肌面シートは、吸収体よりも幅方向外側に延出し、吸収体の外側縁よりも幅方向の外側に位置する長手方向に沿った第１折り線を基点に幅方向の外側から幅方向の内側に向かって折り返されている。また、第１折り線を基点に折り返された肌面シートは、第１折り線よりも幅方向の内側に位置する長手方向に沿った第２折り線を基点に、幅方向の内側から幅方向の外側に向かって折り返されている。第１折り線を基点に折り返された肌面シート同士、及び第２折り線を基点に折り返された肌面シート同士は、例えば、接着剤によって接合され、着用者側に起立可能に構成される。
【先行技術文献】
【特許文献】
【０００３】
【特許文献１】特開平１１−１９７１７９号公報
【発明の概要】
【発明が解決しようとする課題】
【０００４】
しかし、上述の吸収性物品は、以下の問題があった。
一般的に、吸収性物品は、コンパクトに折り畳まれる。例えば、肌面シート同士の接合箇所と吸収性物品の折り畳み線とが重なると、折り畳み線を介して接合箇所に力が掛かり、接着剤がしみ出すことがある。特に、特許文献１のように、肌面シートが液透過性を有する構成にあっては、当該肌面シートを介して接着剤がしみ出すことがある。その結果、肌へのべたつきが発生し、装着感が悪化することがある。
【０００５】
また、肌面シート同士の接合箇所と吸収性物品の折り畳み線とが重なると、折り畳み線による折り癖が接合箇所に形成される。折り癖を基点として肌面シートの肌対向面同士が接するように変形し、当該肌面シートを介してしみ出した接着剤によって肌面シートの肌対向面同士が接合し、使用時に肌面シートが立ち上がり難くなることがある。その結果、横漏れが発生することがある。
【０００６】
そこで、本発明は、上述の課題に鑑みてなされたものであり、装着感の悪化を抑制しつつ、肌面シートの立ち上がりを阻害することなく横漏れを低減し、コンパクトに折り畳むことができる吸収性物品を提供することを目的とする。
【課題を解決するための手段】
【０００７】
本開示に係る吸収性物品（吸収性物品１）は、互いに直交する長手方向（長手方向Ｌ）及び幅方向（幅方向Ｗ）を有し、液透過性の肌面シート（肌面シート１０）と液不透過性の非肌面シート（非肌面シート２０）との間に吸収体（吸収体３０）を有し、前記肌面シートは、前記長手方向に沿った第１折り線（第１折り線Ｆ１）を基点に、前記幅方向の外側から前記幅方向の内側に向かって肌対向面側に折り返され、かつ前記第１折り線よりも前記幅方向の内側に位置する前記長手方向に沿った第２折り線（第２折り線Ｆ２）を基点に、前記幅方向の内側から前記幅方向の外側に向かって肌対向面側に折り返される、吸収性物品であって、前記第１折り線を基点に折り畳まれた前記肌面シート同士は、接着剤を介して接合されており、前記長手方向に沿った吸収性物品の折り畳み線（第１折り畳み線ＦＬ１、第２折り畳み線ＦＬ２）は、前記接着剤に重ならないことを要旨とする。
【発明の効果】
【０００８】
本発明によれば、装着感の悪化を抑制しつつ、肌面シートの立ち上がりを阻害することなく横漏れを低減し、コンパクトに折り畳むことができる吸収性物品を提供することができる。
【図面の簡単な説明】
【０００９】
【図１】実施形態に係る吸収性物品の平面図である。
【図２】図１に示すＡ−Ａ断面の模式断面図である。
【図３】図１に示す吸収性物品の折り畳み態様を説明する図である。
【図４】変形例に係る吸収性物品の模式断面図である。
【発明を実施するための形態】
【００１０】
（１）吸収性物品の構成
図１乃至図３を参照して、実施形態に係る吸収性物品１について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１１】
図１は、実施形態に係る吸収性物品１の平面図である。図２は、図１におけるＡ-Ａ断面図である。図３は、図１に示す吸収性物品１の折り畳み態様を示す斜視図である。吸収性物品１としては、パンティーライナー（おりものシート）や生理用ナプキンや失禁パッド等の任意の吸収性物品が想定される。本実施形態では、かかる吸収性物品１として生理用ナプキンが用いられるケースについて説明する。
【００１２】
吸収性物品１は、着用者の前側と後側とに延びる長手方向Ｌと、長手方向Ｌに直交する幅方向Ｗと、厚み方向Ｔと、を有する。厚み方向Ｔは、肌対向面側及びその反対側である非肌対向面側を有する。幅方向Ｗは、着用者の左側と右側に延びる方向である。
【００１３】
吸収性物品１は、吸収体３０と、吸収体３０よりも肌対向面側に位置する肌面シート１０と、吸収体３０よりも非肌対向面側に位置する非肌面シート２０と、を備える。
【００１４】
肌面シート１０は、液透過性のシートである。肌面シート１０は、少なくとも吸収体３０の肌対向面側を覆い、かつ吸収体３０の幅方向外側に延出する。肌面シート１０は、吸収性物品の肌対向面の全面に配置される。肌面シート１０は、通常吸収性物品に使用されているものを使用することができ、例えば、不織布、開孔フィルムなどを用いることができる。
【００１５】
非肌面シート２０は、液不透過性のシートである。非肌面シート２０は、少なくとも吸収体３０の非肌対向面側を覆う。非肌面シート２０は、通常吸収性物品に使用されているものを使用することができ、例えば、非通気性や通気性のフィルム、不織布等を用いることができる。
【００１６】
吸収体３０は、コア部３１と、ベース部３２と、を有する。コア部３１は、吸収体３０の幅方向の中央に位置する。ベース部３２は、コア部３１よりも長手方向Ｌ及び幅方向Ｗの両方において外側に延出する。コア部３１は、ベース部３２の肌対向面側に配置される。コア部３１及びベース部３２は、通常吸収性物品に使用されているものを使用することができ、例えば、親水性繊維、高分子吸水ポリマー、またはこれらの組み合わせ等が挙げられる。
【００１７】
コア部３１とベース部３２は、別体で形成され、コアラップ（図示せず）によって覆われている。コアラップは、通常吸収性物品に使用されているものを使用することができ、例えば、不織布やティッシュ等が挙げられる。また、吸収体３０は、コアラップを有していなくてもよいし、コア部３１とベース部３２が一体化されていてもよい。また、吸収体３０は、パルプシートやポリマーシート等の吸収性シートによって構成されていてもよい。
【００１８】
肌面シート１０及び非肌面シート２０は、長手方向Ｌに沿った折り線を基点に複数回折り畳まれ、着用者側に立ち上がるように構成されている。肌面シート１０及び非肌面シート２０は、吸収体３０よりも幅方向Ｗの外側において、第１折り線Ｆ１を基点に幅方向Ｗの外側から幅方向Ｗの内側に向かって肌対向面側に折り返される。第１折り線Ｆ１を基点に折り返された肌面シート１０及び非肌面シート２０は、第１折り線Ｆ１よりも幅方向Ｗの内側に位置する第２折り線Ｆ２を基点に、幅方向Ｗの内側から幅方向Ｗの外側に向かって肌対向面側に折り返される。第１折り線Ｆ１及び第２折り線Ｆ２は、長手方向Ｌに沿っている。肌面シート１０及び非肌面シート２０が複数回折り畳まれることによって、吸収体３０とウイング３の間に、着用者側に起立可能な折返し部が形成される。
【００１９】
なお、第１折り線Ｆ１及び第２折り線Ｆ２は、吸収体３０の外側縁（幅方向の外側端）よりも幅方向Ｗの外側に位置してもよいし、吸収体３０の外側縁よりも幅方向Ｗの内側に位置してもよい。また、肌面シート１０のみが、第１折り線Ｆ１及び第２折り線Ｆ２を基点に折られ、非肌面シート２０が折られていなくてもよい。また、第１折り線Ｆ１を基点に折り返されたシート間、及び第２折り線Ｆ２を基点に折り返されたシート間には、長手方向Ｌに伸縮する弾性部材が配置されていてもよい。本実施の形態の吸収性物品１は、第１折り線Ｆ１を基点に折り返されたシート間、及び第２折り線Ｆ２を基点に折り返されたシート間には、長手方向Ｌに伸縮する弾性部材が配置されていない。
【００２０】
第１折り線Ｆ１によって折り返されたシート同士は、接着剤を介して接合されている。具体的には、第１折り線Ｆ１によって折り返された肌面シート１０同士が接着剤を介して接合されている。第１折り線Ｆ１を基点に折り畳まれたシート同士が接合された第１接合領域Ｒ１を図１及び図２に示す。図１においては、斜線を第１接合領域Ｒ１に付して示す。
【００２１】
第２折り線Ｆ２によって折り返されたシート同士は、接着剤を介して接合されている。具体的には、第２折り線Ｆ２によって折り返された非肌面シート２０同士が接着剤を介して接合されている。第２折り線Ｆ２を基点に折り畳まれたシート同士が接合された第２接合領域Ｒ２を図２に示す。
【００２２】
第１接合領域Ｒ１は、吸収性物品１の長手方向Ｌの両端縁に設けられ、かつ吸収性物品１の長手方向Ｌの中央に設けられていない。前側に位置する第１接合領域Ｒ１は、吸収性物品１の前端縁からコア部３１の前端縁までの範囲に設けられている。後側に位置する第１接合領域Ｒ１は、吸収性物品１の後端縁からコア部３１の後端縁までの範囲に設けられている。第１接合領域Ｒ１が配置されていない長手方向Ｌの中央は、長手方向Ｌにおけるコア部３１の前端縁とコア部３１の後端縁との間に対応する。
【００２３】
第１接合領域Ｒ１は、第２接合領域Ｒ２よりも非肌対向面側に位置する。第１接合領域Ｒ１の内側縁（幅方向の内側端）は、第２接合領域Ｒ２の内側縁よりも幅方向の外側に位置する。第１接合領域Ｒ１及び第２接合領域Ｒ２は、第１折り線Ｆ１よりも幅方向の内側、かつ第２折り線Ｆ２よりも幅方向Ｗの外側に位置する。
【００２４】
このように構成された吸収性物品１は、コンパクトに折り畳まれるように構成されている。次いで、吸収性物品１の折り畳み方法を説明する。図３は、吸収性物品１の折り畳み工程を模式的に示した斜視図である。吸収性物品１は、包装シート２上に配置された状態で、複数回折り畳まれる。
【００２５】
まず、図３（ａ）に示すように、吸収性物品１の一方の外側縁及び包装シート２の一方の外側縁が、長手方向Ｌに沿った第１折り畳み線ＦＬ１を基点に、幅方向Ｗの内側に向けて肌対向面側に折り返される。次いで、図３（ｂ）に示すように、吸収性物品１の他方の外側縁及び包装シート２の他方の外側縁が、長手方向Ｌに沿った第２折り畳み線ＦＬ２を基点に、幅方向Ｗの内側に向けて肌面側に折り返される。
【００２６】
次いで、図３（ｃ）に示すように、吸収性物品１の後端縁及び包装シート２の後端縁が、幅方向Ｗに沿った第３折り畳み線ＦＬ３を基点に、長手方向Ｌの内側に向けて肌対向面側に折り返される。また、吸収性物品１の前端縁及び包装シート２の前端縁が、幅方向Ｗに沿った第４折り畳み線ＦＬ４を基点に、長手方向Ｌの内側に向けて肌面側に折り返される。上述したように吸収性物品１及び包装シート２が折り畳まれることによって、吸収性物品１は、折り畳まれて小型化される。なお、吸収性物品１と包装シート２とが共に折り畳まれていてもよいし、吸収性物品１のみが折り畳まれていてもよい。
【００２７】
第１折り畳み線ＦＬ１から第４折り畳み線ＦＬ４のうち、長手方向Ｌに沿った第１折り畳み線ＦＬ１及び第２折り畳み線ＦＬ２は、第１折り線Ｆ１を基点に折り畳まれたシート同士を接合する接着剤に重ならない。すなわち、図１に示すように、吸収性物品１の平面視において、第１折り畳み線ＦＬ１及び第２折り畳み線ＦＬ２は、第１接合領域Ｒ１に重ならない。第１折り畳み線ＦＬ１及び第２折り畳み線ＦＬ２は、第１折り線Ｆ１よりも幅方向Ｗの内側、かつ第２折り線Ｆ２よりも幅方向Ｗの外側に位置する。また、第１折り畳み線ＦＬ１は、第１接合領域Ｒ１よりも幅方向Ｗの内側、かつ第２折り線Ｆ２よりも幅方向Ｗの外側に位置する。
【００２８】
なお、長手方向Ｌに沿った第１折り畳み線ＦＬ１及び第２折り畳み線ＦＬ２は、第２折り線Ｆ２を基点に折り畳まれたシート同士を接合する接着剤に重ならなくてもよいし、第２折り線Ｆ２を基点に折り畳まれたシート同士を接合する接着剤に重なっていてもよい。
【００２９】
（２）作用・効果
肌面シート１０は、第１折り線Ｆ１及び第２折り線Ｆ２によって折り返され、使用時に着用者側に起立可能な折返し部を構成する。吸収体３０の肌対向面側を覆うシートと、起立可能な折返し部を構成するシートと、を別々に設ける構成と比較して、部品点数を低減し、製造工程を簡素化できる。
【００３０】
また、肌面シート１０同士を接合する接着剤が、吸収性物品１の長手方向Ｌに沿った第１折り畳み線ＦＬ１及び第２折り畳み線ＦＬ２と重ならないため、第１折り畳み線ＦＬ１及び第２折り畳み線ＦＬ２によって肌面シート１０を介して接着剤がしみ出すことを抑制できる。その結果、肌面シート１０を介してしみ出した接着剤による肌へのべたつきを抑制し、装着感の悪化を抑できる。
【００３１】
加えて、第１接合領域Ｒ１に吸収性物品１の第１折り畳み線ＦＬ１及び第２折り畳み線ＦＬ２による折り癖が形成されると、折り癖によって肌面シート１０が立ち上がり難くなることがある。より詳細には、折り癖を基点として肌面シート１０の肌対向面同士が接するように変形し、当該肌面シートを介してしみ出した接着剤によって肌面シート１０の肌対向面同士が接合し、 使用時に肌面シート１０が立ち上がり難くなることがある。しかし、接着剤に第１折り畳み線ＦＬ１及び第２折り畳み線ＦＬ２が重ならないため、使用時に肌面シート１０が立ち上がり難くなることを抑制できる。その結果、横漏れを低減できる。
【００３２】
第１折り畳み線ＦＬ１及び第２折り畳み線ＦＬ２は、第１接合領域Ｒ１の内側縁よりも幅方向Ｗの内側、かつ第２折り線Ｆ２よりも幅方向Ｗの外側に位置する。よって、第１折り線Ｆ１及び第２折り線Ｆ２によって折り返されたシート上に、第１折り畳み線ＦＬ１及び第２折り畳み線ＦＬ２による折り癖が形成される。第１折り線Ｆ１及び第２折り線Ｆ２によって折り返されたシートにおいて、第１接合領域Ｒ１の内側縁よりも幅方向Ｗの内側、かつ第２折り線Ｆ２よりも幅方向Ｗの外側の領域は、第１接合領域Ｒ１の内側縁を基点に着用者側に起立可能な領域である。当該第１接合領域Ｒ１の内側縁よりも幅方向Ｗの内側、かつ第２折り線Ｆ２よりも幅方向Ｗの外側の領域に、第１折り畳み線ＦＬ１及び第２折り畳み線ＦＬ２による折り癖を形成することにより、当該折り癖によって、使用時に肌面シート１０がより立ち上がり易くなる。その結果、横漏れをより防止できる。
【００３３】
第１接合領域Ｒ１は、吸収性物品１の長手方向Ｌの両端縁に設けられ、かつ吸収性物品１の長手方向Ｌの中央に設けられていない。吸収性物品１の長手方向Ｌの中央は、第１折り線Ｆ１を基点に折り畳まれた肌面シート１０同士が接合されていないため、着用者側に起立しやすくなる。よって、着用者の排泄口に対向する排泄口当接領域の幅方向Ｗの外側において折返し部を立ち上げ、排泄口当接領域からの横漏れを低減できる。
【００３４】
第１接合領域Ｒ１の内側縁は、第２接合領域Ｒ２の内側縁よりも幅方向Ｗの外側に位置する。肌面シート１０は、第１接合領域Ｒ１の内側縁を基点に立ち上がる。第１接合領域Ｒ１の内側縁が第２接合領域Ｒ２の内側縁よりも幅方向Ｗの外側に位置するため、着用者の左側に位置する肌面シート１０と着用者の右側に位置する肌面シート１０の立ち上がり基点の間隔が長くなる。よって、着用者の左側において立ち上がった肌面シート１０と、着用者の右側において立ち上がった肌面シート１０と、の間の領域を広く形成できる。その結果、着用者の左側において立ち上がった肌面シート１０と着用者の右側において立ち上がった肌面シート１０との間の領域において体液を保持し、横漏れを低減できる。
【００３５】
非肌面シート２０は、肌面シート１０と共に、第１折り線Ｆ１を基点に折り返され、かつ第２折り線Ｆ２を基点に折り返されている。液不透過性の非肌面シート２０が肌面シート１０と共に折り返されているため、折返し部の防漏性を高めることができる。その結果、横漏れをより防止できる。また、肌面シート１０のみが第２折り線Ｆ２を基点に折り返され、当該シート同士を接合した第２接合領域Ｒ２が第１折り畳み線ＦＬ１や第２折り畳み線ＦＬ２と重なる構成にあっては、当該第２接合領域Ｒ２の接着剤が肌面シート１０を介してしみ出すおそれがある。
【００３６】
しかし、肌面シート１０と非肌面シート２０とを共に折り返すことにより、液不透過性の非肌面シート２０間に第２接合領域Ｒ２の接着剤が配置されるため、第２接合領域Ｒ２が第１折り畳み線ＦＬ１や第２折り畳み線ＦＬ２が重なった場合であっても、当該第２接合領域Ｒ２の接着剤がしみ出すことを防止できる。当該肌面シート１０を介してしみ出した接着剤による肌へのべたつきを抑制し、装着感の悪化を抑制できる。
【００３７】
（３）その他の実施形態
次いで、変形例に係る吸収性物品１Ａについて、図４を参照して詳細に説明する。なお、変形例の説明において、上述の実施形態と同様の構成については、同符号を用いて説明を省略する。変形例に係る吸収性物品１Ａは、肌面シート１０のみが第１折り線Ｆ１及び第２折り線Ｆ２を基点に折り返されている。非肌面シート２０は、肌面シート１０と共に折りかえされず、吸収性物品１Ａの非肌対向面を構成する。変形例１に係る吸収性物品１Ａは、第１折り線Ｆ１を基点に折り返された肌面シート１０同士が接着剤で接合され、第２折り線Ｆ２を基点に折り返された肌面シート１０同士が接着剤で接合されている。
【００３８】
変形例１に係る吸収性物品１Ａによっても、肌面シート１０によって使用時に着用者側に起立可能な折返し部を構成できる。吸収体の表面を覆うシートと、起立可能な折返し部を構成するシートと、を別々に設ける構成と比較して、部品点数を低減し、製造工程を簡素化できる。変形例１に係る吸収性物品１Ａにおいても、装着感の悪化を抑制しつつ、肌面シート１０の立ち上がりを維持して横漏れを低減し、かつコンパクトに折り畳むことが可能である。
【００３９】
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【００４０】
吸収性物品は、第２折り線Ｆ２を基点に折り畳まれたシート間に、長手方向に伸縮する弾性部材が設けられていてもよい。弾性部材を有する構成によれば、弾性部材の収縮によって折返し部を着用者側により起立させ易くすることができるため、横漏れを低減できる。
【符号の説明】
【００４１】
１、１Ａ・・・吸収性物品
３・・・ウイング
１０・・・肌面シート
２０・・・非肌面シート
３０・・・吸収体
３１・・・コア部
３２・・・ベース部
Ｌ・・・長手方向
Ｔ・・・厚み方向
Ｗ・・・幅方向
Ｆ１・・・第１折り線
Ｆ２・・・第２折り線
ＦＬ１・・・第１折り畳み線
ＦＬ２・・・第２折り畳み線
ＦＬ３・・・第３折り畳み線
ＦＬ４・・・第４折り畳み線
Ｒ１・・・第１接合領域
Ｒ２・・・第２接合領域
【図１】
0005946887.tif 000002
【図２】
0005946887.tif 000003
【図３】
0005946887.tif 000004
【図４】
0005946887.tif 000005